(57)【要約】      （修正有）【課題】見栄えよく蓋を固定することができるペット用墓を提供する。【解決手段】ペットの骨及び／又は毛を収容する収容空間１１１を有する箱状の本体１１と、本体１１の上側に設置され、貫通孔１２３を有する蓋１２と、蓋固定具兼花立て１３を備える。蓋固定具兼花立て１３は、貫通孔１２３及び収容空間１１１を通って上下方向に延びる筒状部材１３１と、筒状部材１３１の下端に設けられた、本体１１の底板に固定される本体側固定部（下方突出部１３２）と、筒状部材１３１の上端の外径を貫通孔１２３の径よりも大きくすることにより形成され、本体側固定部が底板に固定された状態において蓋１２の上面に当接する蓋押さえ部１３３を有する。蓋固定具兼花立て１３に花を供えることにより、蓋固定具兼花立て１３を花で隠すか、目立たなくすることができるため、見栄えが向上する。【選択図】図１
0003176951.tif 000002
【実用新案登録請求の範囲】
【請求項１】
a) ペットの遺品を収容する収容空間を有する箱状の本体と、
b) 前記本体の上側に設置され、貫通孔を有する蓋と、
c) 蓋固定具兼花立てと
を備え、該蓋固定具兼花立てが、
c-1) 前記貫通孔及び前記収容空間を通って上下方向に延びる、底を有する筒状部材と、
c-2) 前記筒状部材の下端に設けられた、前記本体の底板に固定される本体側固定部と、
c-3) 前記筒状部材の上端の外径を前記貫通孔の径よりも大きくすることにより形成され、前記本体側固定部が前記底板に固定された状態において該蓋の上面に当接する蓋押さえ部と
を備えることを特徴とするペット用墓。
【請求項２】
前記蓋の上面に銘板が立設されていることを特徴とする請求項１に記載のペット用墓。
【請求項３】
前記底板に、水を排出する排出孔が設けられていることを特徴とする請求項１又は２に記載のペット用墓。
【考案の詳細な説明】
【技術分野】
【０００１】
本考案は、ペット用の墓に関する。
【背景技術】
【０００２】
近年、ペットは、単に家庭で飼育されている動物というのではなく、飼い主の家族の一員と位置付けられることが多くなっている。そのため、ペットが死亡すると、ペットを人間と同様に弔いたいという飼い主の要望が高まっている。
【０００３】
実際に、ペットを弔うために、ペット用の墓が提案、販売されている。ペット用墓は、庭や屋内などの飼い主の自宅の敷地内に設置されることが多い。また、近年、ペット用の墓地（霊園）や納骨堂が開設されており、ペット用墓は、それら墓地や納骨堂にも設置することができる。
【０００４】
特許文献１には、そのようなペット用墓の例が記載されている。このペット用墓は、骨壺を載置する載置台を底板に設けた箱形の本体と、その本体の上に取り付ける蓋と、蓋の上に取り付ける銘板を有する。銘板は、死んだペットの名前や、死んだ日あるいは年齢などを刻印した墓標となるものであり、縦断面がＬ字状の形状を有する。
【先行技術文献】
【特許文献】
【０００５】
【特許文献１】特開2007-285032号公報
【考案の概要】
【考案が解決しようとする課題】
【０００６】
特許文献１に記載のペット用墓では、蓋はネジ、ボルト、ピン等の留具によって本体に固定される。この留具は、人目についてしまい、見栄えがよくない。本考案が解決しようとする課題は、見栄えよく蓋を固定することができるペット用墓を提供することである。
【課題を解決するための手段】
【０００７】
上記課題を解決するために成された本考案に係るペット用墓は、
a) ペットの遺品を収容する収容空間を有する箱状の本体と、
b) 前記本体の上側に設置され、貫通孔を有する蓋と、
c) 蓋固定具兼花立てと
を備え、該蓋固定具兼花立てが、
c-1) 前記貫通孔及び前記収容空間を通って上下方向に延びる、底を有する筒状部材と、
c-2) 前記筒状部材の下端に設けられた、前記本体の底板に固定される本体側固定部と、
c-3) 前記筒状部材の上端の外径を前記貫通孔の径よりも大きくすることにより形成され、前記本体側固定部が前記底板に固定された状態において該蓋の上面に当接する蓋押さえ部と
を備えることを特徴とする。
【０００８】
本願において、「ペットの遺品」は、ペットの骨や毛などのペットの遺骸に由来するものと、（遺骸に由来するもの以外の）ペットにゆかりのものの双方を含むものとする。ペットにゆかりのものには、例えば、首輪、ペット用衣服、ペット用おもちゃ、ペットの写真などがある。収容空間に収容されるペットの遺品は、ペットの遺骸に由来するものとペットにゆかりのもののいずれか一方のみであってもよいし、両方であってもよい。
【０００９】
本考案に係るペット用墓では、本体側固定部が本体の底板に固定された状態において、蓋押さえ部が蓋の上面に当接することにより、蓋は本体に固定される。また、蓋固定具兼花立てには花を供えることができる。このように蓋固定具兼花立てに花を供えることにより、蓋固定具兼花立てを花で隠したり、目立たなくすることができるため、ペット用墓の見栄えを向上させることができる。
【００１０】
また、蓋固定具兼花立てが蓋固定具と花立てを兼ねるため、別途、花立てを設ける必要がないことから、余分なスペースを取る必要がない。
【００１１】
ペットの遺品は、収容空間に直接収容してもよいし、それらを骨壺などの容器に入れたうえで、その容器を収容空間に収容してもよい。
【００１２】
蓋の上面には、死んだペットの名前、死んだ日、年齢などの文字、あるいは写真、絵、図柄などを刻印した銘板を設けることができる。
【００１３】
本体の底板には、水を排出する排出孔を設けることができる。これにより、本体と蓋の間から収容空間内に水が侵入しても、排出孔から水を排出することができる。また、本体の下側を土に埋め、本体内にペットの骨を直接収容すれば、この排出孔を介してペットの骨を土に返すことができる。
【考案の効果】
【００１４】
本考案によれば、蓋固定具兼花立てに花を供えることができるため、蓋固定具兼花立てを花で隠したり目立たなくすることができ、見栄えを向上させることができる。
【図面の簡単な説明】
【００１５】
【図１】本考案に係るペット用墓の一実施例の分解斜視図。
【図２】本実施例のペット用墓の組立斜視図。
【図３】本実施例のペット用墓における本体の底板の上面図。
【図４】本実施例のペット用墓の縦断面図。
【図５】本実施例のペット用墓における蓋の上面図。
【考案を実施するための形態】
【００１６】
図１〜図５を用いて、本考案に係るペット用墓の実施例を説明する。
【実施例】
【００１７】
本実施例のペット用墓１０は、本体１１、蓋１２、２本の蓋固定具兼花立て１３及び銘板１４を有する。以下、各構成要素を説明する。なお、下記の説明において各構成要素及びその部位の寸法や材料を示すが、それら寸法や材料はいずれも一例に過ぎず、ペットの遺品の大きさやペット用墓１０を配置する場所などに応じて適宜変更可能である。
【００１８】
本体１１は、内部の収容空間１１１が直方体の形状を有する箱状のものである。本体１１の大きさは、収容されるペットの遺品や骨壺などの大きさに合わせて任意に定めることができる。本実施例では、直径約100mm（3寸）、高さ110mmの骨壺を収容できるように、収容空間１１１は幅を140mm、奥行きを110mm、高さを110.5mmとした。本体１１の外寸は、幅が160mm、奥行きが130mm、高さが140mmである。
【００１９】
本体１１の底板１１２（図３、図４参照）には、8mmの径を有する孔であって、蓋固定具兼花立て１３をそれぞれ1本ずつ取り付けるための取り付け孔１１４が2個設けられている。取り付け孔１１４は、本体の幅方向に2個、5mm離間させて左右対称に設けられており、本体１１の奥行き方向には、近い方の内壁面から5mmの位置に設けられている。また、底板１１２には、9mmの径を有する排出孔１１５が1個設けられている。
【００２０】
底板１１２は、本体１１の4枚（正面、背面、左側面及び右側面）の側板１１３の下端よりも上側に設けられている。これにより、蓋固定具兼花立て１３を取り付けるためのナット１５（後述）を取り付けるための上下方向の空間が確保されると共に、ペット用墓１０を庭などの地面に載置した場合に底板１１２が直接土に接しなくなるため、土や水などが排出孔１１５から収容空間１１１に侵入することを防ぐことができる。
【００２１】
蓋１２（図１、図５参照）は、厚さ5mmの長方形状の板から成る天板１２１を有する。天板１２１の下面には天板１２１の短辺（奥行き）方向に延びる嵌合部材１２２が2本、天板１２１の長辺（幅）方向に平行に設けられている。2本の嵌合部材１２２の長さは収容空間１１１の奥行きよりもわずかに短く、間隔は収容空間１１１の幅よりもわずかに狭い。また、天板１２１には、蓋固定具兼花立て１３を通過させる貫通孔１２３が2個設けられている。貫通孔１２３の径は15mmである。さらに、天板１２１の上面には、銘板１４を立設させた状態で支持する銘板支持具１２４が設けられている。銘板支持具１２４は、天板１２１の長手方向に延びる2枚の板状の部材が、銘板１４の厚みよりもわずかに広い間隔で立設されて成り、貫通孔１２３よりも奥行き方向に深い位置に配置されている。
【００２２】
本体１１及び蓋１２の材料には、アクリル樹脂を用いた。ペット用墓は上述のように庭や屋内などの飼い主の自宅の敷地内に設置されることが多いことから、飼い主が容易に設置したり設置場所を変更することができるように、このペット用墓１０ではアクリル樹脂を用いることで軽量化を図った。
【００２３】
蓋固定具兼花立て１３（図１、図４参照）はアクリル樹脂製であって、底を有する筒状の部材である筒状部材１３１と、筒状部材１３１の下側に設けられた、筒状部材１３１よりも外径が小さい中実の下方突出部１３２と、筒状部材１３１の上側に設けられた、筒状部材１３１よりも外径が大きい蓋押さえ部１３３が一体に形成されている。筒状部材１３１の長さは、蓋１２の厚みと収容空間１１１の高さの和に等しい。筒状部材１３１の外径は15mmであり、蓋１２に設けられた貫通孔１２３の径よりは小さく、本体１１の底板１１２に設けられた取り付け孔１１４の径よりは大きい。下方突出部１３２は、長さが底板１１２の厚みよりも長く、上端から底板１１２の厚みの分までの高さよりも上側から下端に雄ねじが切られている。下方突出部１３２の外径は取り付け孔１１４の径よりも小さい。蓋押さえ部１３３の外径は20mmであり、貫通孔１２３の径よりも大きい。
【００２４】
蓋固定具兼花立て１３は、底板１１２の下側で、取り付け孔１１４の径よりも外径が大きいナット１５で下方突出部１３２の雄ねじを締めつけることにより、本体１１に取り付けられている。この締め付けにより、下方突出部１３２並びにそれと一体の筒状部材１３１及び蓋押さえ部１３３には下方への張力が生じ、蓋押さえ部１３３の下面が蓋１２の上面に押し付けられる。これにより、蓋１２は本体１１に固定される。
【００２５】
銘板１４は透明のアクリル板から成る。銘板１４の一方の面には、死んだペットの名前、死んだ日、年齢などの文字、あるいは死んだペットの写真などを、レーザービームを用いて刻印することができる。このような銘板１４には、例えば特開2002-085249号公報に記載のものを用いることができる。
【００２６】
次に、本実施例のペット用墓１０の使用方法を説明する。
まず、ペットの遺品を直接、又は骨壺２２などの容器に入れたうえで（図４）、本体１１の収容空間１１１に収容する。収容空間１１１に収容するペットの遺品としては、骨や毛などのペットの遺骸に由来するものや、首輪、ペット用衣服、ペット用おもちゃ、ペットの写真などの遺骸に由来しないものが挙げられる。次に、本体１１に蓋１２を被せ、嵌合部材１２２と収容空間１１１の上端部を嵌め合わせる。嵌合部材１２２の長さは収容空間１１１の奥行きよりもわずかに短く、2本の嵌合部材１２２の間隔は収容空間１１１の幅よりもわずかに狭いため、蓋１２は、奥行き方向及び幅方向にはほとんど動かない。
【００２７】
次に、下方突出部１３２を下側にして、筒状部材１３１を蓋１２の上面側から貫通孔１２３に通し（この操作は本体１１に蓋１２を被せる前に行ってもよい）、さらに、下方突出部１３２を底板１１２から取り付け孔１１４に通す。そして、底板１１２の下面側から、ナット１５を下方突出部１３２の雄ねじに締め付けることにより、蓋固定具兼花立て１３を取り付ける。これにより、上記のように蓋押さえ部１３３の下面が蓋１２の上面に押し付けられ、蓋１２が本体１１に固定される。
【００２８】
また、銘板支持具１２４の2枚の板状部材の間に銘板１４を嵌め込むことにより、該銘板を蓋１２に取り付ける。この操作は、本体１１に蓋１２を被せる前あるいは後のいずれに行ってもよいし、本体１１に蓋固定具兼花立て１３を取り付ける前あるいは後のいずれに行ってもよい。
【００２９】
こうして蓋１２が本体１１に固定されたペット用墓１０は、飼い主の自宅の庭や屋内、あるいはペット用の墓地や納骨堂などに載置される。庭や墓地では、本体１１の下部を土に埋めてもよい。
【００３０】
本実施例のペット用墓１０では、蓋固定具兼花立て１３における筒状部材１３１の内部空間１３４に花２１を供えることができる（図２）。この花２１によって、蓋固定具兼花立て１３を隠したり、目立たなくすることができるため、ペット用墓１０の見栄えを向上させることができる。また、蓋固定具兼花立て１３が蓋固定具と花立てを兼ねているため、余分なスペースを取ることなく花立てを設けることができる。
【００３１】
本考案に係るペット用墓は上記実施例には限られない。例えば、本体１１及び蓋１２の材料には、上記実施例では軽量化のためにアクリル樹脂を用いたが、それ以外の材料を用いてもよい。例えば、人の墓に近い質感を呈するように、石材を用いることができる。筒状部材１３１には、上記実施例では円柱形のものを用いたが、三角柱形や四角柱形などのものを用いてもよい。また、蓋固定具兼花立て１３の材料には、上記のアクリル樹脂には限らず、ステンレス鋼、アルミニウムその他の金属などを用いてもよい。
【００３２】
蓋固定具兼花立て１３の本体側への固定には、上記実施例ではナット１５を用いたが、それ以外のものを用いてもよい。例えば本体１１の底板１１２に、雌ねじを切った孔を設け、その雌ねじに下方突出部１３２の雄ねじを締め付ける（なお、この場合には、雄ねじの位置を底板１１２の位置に合わせておく）ことにより、蓋固定具兼花立てを本体側に固定してもよい。
【符号の説明】
【００３３】
１１…本体
１１１…収容空間
１１２…底板
１１３…側板
１１４…取り付け孔
１１５…排出孔
１２…蓋
１２１…天板
１２２…天板の脚
１２３…貫通孔
１２４…銘板支持具
１３…蓋固定具兼花立て
１３１…筒状部材
１３２…下方突出部
１３３…蓋押さえ部
１３４…筒状部材の内部空間
１４…銘板
１５…ナット
２１…花
２２…骨壺
【図１】
0003176951.tif 000003
【図２】
0003176951.tif 000004
【図３】
0003176951.tif 000005
【図４】
0003176951.tif 000006
【図５】
0003176951.tif 000007